(57)【特許請求の範囲】
【請求項１】
本体、ボルト、及び回転軸から成り、本体は、貫通ネジ孔を有する上部、当該上部の一端から略直角に連設された側部、及び当該側部の遊端から前記上部のある側に連設され且つ前記上部に対向する側が凹入したＶ字形鉄筋受け部とを備え、ボルトは、前記本体上部の貫通ネジ孔を螺合貫通した状態で先端押圧部が前記鉄筋受け部に嵌合する鉄筋を押圧固定し、回転軸は、その軸心が前記本体の表面に対し直角向きで且つ当該軸心の周りに自転可能に前記本体に支持されたもので、軸心に対し直角向きのセパレーター連結用ネジ孔を有する鉄筋とセパレーターとの連結金具であって、
前記本体が、その上部からＶ字形鉄筋受け部まで連続し且つ外側に突出する偏平突曲リブを備え、前記回転軸は、その内端に前記偏平突曲リブの内側溝部に遊嵌する外側への抜け止め用フランジ部と、本体から外側に突出する部分に形成された内側への抜け止め用凸部とを備えている、鉄筋とセパレーターとの連結金具。
【請求項２】
前記回転軸が前記本体側部に取り付けられている、請求項１に記載の鉄筋とセパレーターとの連結金具。
【請求項３】
前記回転軸が前記本体のＶ字形鉄筋受け部に於ける両斜辺部の内、本体側部側の斜辺部に取り付けられている、請求項１に記載の鉄筋とセパレーターとの連結金具。
【請求項４】
前記回転軸の外側への抜け止め用フランジ部が、Ｖ字形鉄筋受け部に嵌合する鉄筋と当接するようにした、請求項１に記載の鉄筋とセパレーターとの連結金具。
【発明の詳細な説明】
【０００１】
【発明の属する技術分野】
本発明は、鉄筋コンクリート造りの構造物を築造する為のコンクリート型枠を組み立てる際に、型枠板を位置決めするセパレーターを鉄筋に結合させる為に使用する連結金具に関するものである。
【０００２】
【従来の技術】
従来、型枠板を位置決めするセパレーターを鉄筋に結合させる場合、所要長さのセパレーターの一端を現場で鉄筋に直接溶接していたので、現場に溶接機を持ち込まなければならず、溶接技術者も必要であり、しかも最大の問題点は、一旦溶接したセパレーターの向きが不適合で、セパレーターの向きを調整しなければならなくなったとき、セパレーターを曲げる等の作業が必要になり、非常に手間取るだけでなく、セパレーターの位置や向きを精度良く決定することが困難であった。
【０００３】
【課題を解決するための手段】
本発明は上記のような従来の問題点を解消し得る鉄筋とセパレーターとの連結金具を提供することを目的とするものであって、その手段を後述する実施形態の参照符号を付して示すと、本体１、ボルト２、及び回転軸３から成り、本体１は、貫通ネジ孔４を有する上部５、当該上部５の一端から略直角に連設された側部６、及び当該側部６の遊端から前記上部５のある側に連設され且つ前記上部５に対向する側が凹入したＶ字形鉄筋受け部７とを備え、ボルト２は、前記本体上部５の貫通ネジ孔４を螺合貫通した状態で先端押圧部２ａが前記鉄筋受け部７に嵌合する鉄筋８を押圧固定し、回転軸３は、その軸心３ａが前記本体１の表面に対し直角向きで且つ当該軸心３ａの周りに自転可能に本体１に支持されたもので、軸心３ａに対し直角向きのセパレーター連結用ネジ孔９を有する鉄筋とセパレーターとの連結金具であって、前記本体１が、その上部５からＶ字形鉄筋受け部７まで連続し且つ外側に突出する偏平突曲リブ１０を備え、前記回転軸３は、その内端に前記偏平突曲リブ１０の内側溝部１０ａに遊嵌する外側への抜け止め用フランジ部１３と、本体１から外側に突出する部分に形成された内側への抜け止め用凸部１４とを備えた構成となっている。
【０００４】
上記構成の本発明を実施するについて、前記回転軸３は、本体側部６に取り付けることが出来るし、本体１のＶ字形鉄筋受け部７に於ける両斜辺部７ａ，７ｂの内、本体側部６側の斜辺部７ａに取り付けることも出来る。
【０００５】
更に、前記回転軸３を、その軸心３ａが前記Ｖ字形鉄筋受け部７に対し直角向きで支持させる場合、当該回転軸３の外側への抜け止め用フランジ部１３が、Ｖ字形鉄筋受け部７に嵌合する鉄筋８と当接するように構成することが出来る。
【０００６】
以下に本発明の好適実施形態を添付図に基づいて説明すると、図１〜図３に於いて、１は本体、２はボルト、３は回転軸である。本体１は、貫通ネジ孔４を有する上部５、当該上部５の一端から略直角に連設された側部６、及び当該側部６の遊端から前記上部５のある側に連設され且つ前記上部５に対向する側が凹入したＶ字形鉄筋受け部７とを備え、ボルト２は、前記本体上部５の貫通ネジ孔４を螺合貫通した状態で先端押圧部２ａが前記Ｖ字形鉄筋受け部７に嵌合する鉄筋８を押圧固定し、回転軸３は、その軸心３ａが前記本体側部６に対し直角向きで且つ当該軸心３ａの周りに自転可能に本体１に支持されたもので、軸心３ａに対し直角向きのセパレーター連結用ネジ孔９を有する構成となっている。
【０００７】
更に詳述すれば、前記本体１には、その上部５からＶ字形鉄筋受け部７まで連続し且つ外側に突出する偏平突曲リブ１０が形成され、前記貫通ネジ孔４は、本体上部５の偏平突曲リブ１０から内向きに一体形成された短筒状部１１に内側にネジ溝を加工して構成されているが、本体１を構成する金属板の厚さによっては単にネジ孔を加工するだけでも良いし、本体上部５に設けた貫通孔と同心状にナットを溶接して構成することも出来る。
【０００８】
前記回転軸３は、本体側部６の偏平突曲リブ１０に設けられた貫通孔１２に内側から挿通されたもので、その内端に前記偏平突曲リブ１０の内側溝部１０ａに遊嵌する外側への抜け止め用フランジ部１３が一体形成されており、本体側部６から外側に突出する部分に、後から内側への抜け止め用凸部、図示例では先端部の直径方向２箇所に抜け止め用凸部１４を形成して、本体１に脱落不能に組み付けている。
【０００９】
上記構成の連結金具の使用方法を説明すると、既に所定位置に配置済みの鉄筋の内、適当位置にある鉄筋８に本体１を、そのＶ字形鉄筋受け部７の内側、即ち、その両斜辺部７ａ，７ｂに当該鉄筋８が当接するように嵌合させると共にボルト２を締め付け、当該ボルト２の先端押圧部２ａとＶ字形鉄筋受け部７との間で当該鉄筋８を挟み付けることにより、本体１を鉄筋８に固定する。そして所要長さのセパレーター１５の一端螺軸部を前記回転軸３のセパレーター連結用ネジ孔９に螺合締結して、当該セパレーター１５を本体１に連結する。
【００１０】
上記作業により、セパレーター１５の一端が鉄筋８の所定位置に連結されたことになるが、このとき当該セパレーター１５は、回転軸３と一体に当該回転軸３の軸心３ａの周りに回転させることが出来るので、当該セパレーター１５を所要の向きに調整した状態で、従前通りの方法で当該セパレーター１５の他端部にコンクリート型枠板を取り付ければ良い。又、前記ボルト２を弛めることにより、本体１と共にセパレーター１５の位置を鉄筋８の長さ方向に調整することも出来る。
【００１１】
尚、図４に示すように、回転軸３は、本体１のＶ字形鉄筋受け部７の両斜辺部７ａ，７ｂの内、本体側部６側の斜辺部７ａに、その軸心３ａが当該斜辺部７ａに対し直角向きとなるように取り付けることも出来る。
【００１２】
この場合、回転軸３の内端の抜け止め用フランジ部１３が偏平突曲リブ１０の内側溝部１０ａに完全に遊嵌するように構成しても良いが、図示のように当該フランジ部１３の端面が偏平突曲リブ１０の内側溝部１０ａの開口端（斜辺部７ａの内側面）と面一か又は若干突出するように構成して、Ｖ字形鉄筋受け部７の両斜辺部７ａ，７ｂで受け止められる鉄筋８の周面とフランジ部１３の端面とが当接するように構成することが出来る。この構成によれば、鉄筋８に本体１をボルト２で固定することにより当該鉄筋８とフランジ部１３との摩擦により回転軸３の回転抵抗が大きくなるので、回転軸３に結合したセパレーター１５の向きを或る程度確定させることが出来、型枠板の内側（セパレーター側）で作業者がセパレーター１５を手で保持してその向きを規制する必要がなくなり、作業性が向上する。
【００１３】
【発明の効果】
本発明の鉄筋とセパレーターとの連結金具は以上のように実施し且つ使用することができるものであって、係る本発明の連結金具によれば、本体を、そのＶ字形鉄筋受け部とボルトとを利用して鉄筋の長さ方向任意の位置に固定し、当該本体に支持されている回転軸のセパレーター連結用ネジ孔に所要長さのセパレーターの一端螺軸部を螺合連結することにより、当該セパレーターを鉄筋に連結することが出来る。しかも、当該セパレーターの位置や向きは、鉄筋長さ方向の本体固定位置の調整、鉄筋軸心周りの本体固定向きの調整、及び本体に対する回転軸の回転等を組み合わせて自由に変更決定することが出来る。従って、取り付け後のセパレーターの位置や向きの変更を含めて、鉄筋に対するセパレーターの取付作業を、極めて簡単容易且つ能率的に、しかも非常に精度良く行える。更に本発明の構成によれば、本体を比較的薄い金属板で成形しても必要な強度を得ることが出来るだけでなく、回転軸の外側への抜け止め用フランジ部を本体内側に突出させないように構成して、当該本体内への鉄筋の嵌合を容易に行えるようにすることが出来る。
【００１４】
尚、請求項２に記載の構成によれば、本体への前記回転軸の取り付けが容易であり、請求項３に記載の構成によれば、セパレーターの向きに関係なくボルトの操作時にセパレーターが邪魔になることが少なく、ボルトの操作がが容易に行える。
【００１５】
又、請求項４に記載の構成によれば、実施形態の説明に於いて述べたように、鉄筋と回転軸内端のフランジ部との摩擦により回転軸の回転抵抗が大きくなるので、当該回転軸に結合したセパレーターの向きを或る程度確定させることが出来、型枠板の内側（セパレーター側）で作業者がセパレーターを手で保持してその向きを規制する必要がなくなり、作業性が向上する。
【図面の簡単な説明】
【図１】  第一実施形態を示す一部縦断側面図である。
【図２】  同平面図である。
【図３】  同正面図である。
【図４】  第二実施形態を示す一部縦断側面図である。
【符号の説明】
１    本体
２    ボルト
３    回転軸
４    貫通ネジ孔
５    本体上部
６    本体側部
７    Ｖ字形鉄筋受け部
７ａ，７ｂ    Ｖ字形鉄筋受け部の斜辺部
８    鉄筋
９    セパレーター連結用ネジ孔
１０    偏平突曲リブ
１０ａ  内側溝部
１３    外側への抜け止め用フランジ部
１４    内側への抜け止め用凸部
１５    セパレーター
【図１】
0003850238.tif 000002
【図２】
0003850238.tif 000003
【図３】
0003850238.tif 000004
【図４】
0003850238.tif 000005